(57)【特許請求の範囲】
【請求項１】
遠距離通信ネットワーク（１００）の広帯域アクセス・ネットワーク（１２０）内のステートレス中央オフィス受渡し地点構成を含めて、中央オフィス受渡し地点（１１０）の動作およびアーキテクチャを改善し簡素化するための、および／または前記中央オフィス受渡し地点（１１０）内でサービス経路を確立するための方法であって、
前記中央オフィス受渡し地点（１１０）および／または前記広帯域アクセス・ネットワーク（１２０）は、コントローラ・ノード（１８０）と、少なくとも１つのリポジトリ・ノード（１８２）と、複数のライン終端ノード（１５１、１５２、１５３）とを備え、
前記複数のライン終端ノード（１５１、１５２、１５３）の特定ライン終端ノード（１５１）は、前記特定ライン終端ノード（１５１）のアクセス・ノード・ポートを使用して、複数のネットワーク終端ノードの少なくとも１つの特定のネットワーク終端ノード（７５）に接続可能であり、
前記広帯域アクセス・ネットワーク（１２０）または前記中央オフィス受渡し地点（１１０）は、複数のサービス・エッジ・ノード（１７１、１７２、１７３）を備え、
前記特定ライン終端ノード（１５１）に接続されて前記特定のネットワーク終端ノード（７５）が活性化されたとき、前記サービス経路が、前記中央オフィス受渡し地点（１１０）内で、または前記中央オフィス受渡し地点（１１０）をトラバースしてセットアップまたは確立され、
前記サービス経路をセットアップまたは確立するための前記方法は、以下のステップ、すなわち
第１のステップでは、前記特定のネットワーク終端ノード（７５）の識別情報が、前記特定ライン終端ノード（１５１）に送信され、
第２のステップでは、前記第１のステップに続いて、前記特定のネットワーク終端ノード（７５）の前記識別情報が、前記リポジトリ・ノード（１８２）に送信され、
第３のステップでは、前記第２のステップに続いて、前記複数のサービス・エッジ・ノード（１７１、１７２、１７３）の特定のサービス・エッジ・ノード（１７１）が、前記特定のネットワーク終端ノード（７５）の前記識別情報に基づいて選択または決定され、それにより前記特定のネットワーク終端ノード（７５）の前記サービス経路が確立されるステップ、
を備える、方法。
【請求項２】
前記特定のネットワーク終端ノード（７５）の前記識別情報は、前記特定のネットワーク終端ノード（７５）のハードウェア識別情報、特に前記特定のネットワーク終端ノード（７５）のシリアル番号である、請求項１に記載の方法。
【請求項３】
前記リポジトリ・ノード（１８２）は、前記広帯域アクセス・ネットワーク（１２０）内または前記中央オフィス受渡し地点（１１０）内の前記複数のネットワーク終端ノードのすべてのネットワーク終端ノードに関する識別情報、および特に複数のサービス経路に関する識別確認情報を備え、またはそれらにアクセスすることができ、前記リポジトリ・ノード（１８２）は、特に１つまたは複数の前記以下の情報、すなわち、
特にポート・ステータス・メッセージによって取り出された、ネットワーク終端ノードの識別情報、
特にポート・ステータス・メッセージによって取り出された、ライン終端ノードのアクセス・ノード・ポートの識別確認情報、特に光ノード・ユニット識別確認情報、
特に回線識別確認情報サーバ（１８８）によって提供された回線識別確認情報、
対応するサービス・エッジ・ノードの識別確認情報
を備え、またはそれらにアクセスすることができる、
請求項１または２に記載の方法。
【請求項４】
前記中央オフィス受渡し地点（１１０）および／または前記広帯域アクセス・ネットワーク（１２０）は、前記コントローラ・ノード（１８０）および前記少なくとも１つのリポジトリ・ノード（１８２）の他に、
運営管理ノードまたはデータベース（１８１）、
プラットフォーム制御サーバ・ノード（１８３）、及び
プラットフォーム制御サーバ・クライアント・ノード（１８９）
を備え、
前記プラットフォーム制御サーバ・クライアント・ノード（１８９）は、前記コントローラ・ノード（１８０）内に位置することが好ましい、
請求項１乃至３のいずれか１項に記載の方法。
【請求項５】
第４のステップでは、前記第２のステップに続いて、また前記第３のステップの前に、回線識別確認情報が、回線識別確認情報サーバ（１８８）によって、また前記特定のネットワーク終端ノード（７５）の前記識別情報が前記第２のステップ中に前記リポジトリ・ノード（１８２）に送信されることに鑑みて、生成または提供され、特に前記第４のステップ中および／または前記第４のステップに続いて、インフラストラクチャ識別確認情報が前記特定のネットワーク終端ノード（７５）に割り当てられる、請求項１乃至４のいずれか１項に記載の方法。
【請求項６】
第５のステップでは、前記第２のステップに続いて、また前記第３のステップの前に、ビット・ストリーム・アクセス情報および／またはビジネス・ポート情報が、前記特定のネットワーク終端ノード（７５）の前記識別情報が前記第２のステップ中に前記リポジトリ・ノード（１８２）に送信されることに鑑みて、生成または提供される、請求項１乃至５のいずれか１項に記載の方法。
【請求項７】
第６のステップでは、前記第３のステップに続いて、かつ前記特定のネットワーク終端ノード（７５）が非活性化したとき、前記特定のネットワーク終端ノード（７５）の前記サービス経路が前記リポジトリ・ノード（１８２）内で解放され、特に前記特定のネットワーク終端ノード（７５）を非活性化するイベントが、エラー履歴データベースノード内に記録される、請求項１乃至６のいずれか１項に記載の方法。
【請求項８】
第７のステップでは、前記第６のステップに続いて、かつ前記特定ライン終端ノード（１５１）に、または別の特定ライン終端ノード（１５２）に接続されて、前記特定のネットワーク終端ノード（７５）が再活性化したとき、前記サービス経路または別のサービス経路が前記中央オフィス受渡し地点（１１０）内で、または前記中央オフィス受渡し地点（１１０）をトラバースしてセットアップまたは確立される、請求項７に記載の方法。
【請求項９】
前記特定のネットワーク終端ノード（７５）の前記識別情報は、ワイヤレス通信チャネルを介して前記特定のネットワーク終端ノード（７５）から前記特定ライン終端ノード（１５１）に送信される、請求項１乃至８のいずれか１項に記載の方法。
【請求項１０】
前記中央オフィス受渡し地点（１１０）および／または前記広帯域アクセス・ネットワーク（１２０）は、特に前記特定のネットワーク終端ノード（７５）の前記識別情報を前記特定のネットワーク終端ノード（７５）から前記特定ライン終端ノード（１５１）に渡すことによって、前記特定ライン終端ノード（１５１）と前記コントローラ・ノード（１８０）の間に介在する仮想ハードウェア抽象化構成要素（４０２）を備える、請求項１乃至９のいずれか１項に記載の方法。
【請求項１１】
遠距離通信ネットワーク（１００）の広帯域アクセス・ネットワーク（１２０）内のステートレス中央オフィス受渡し地点構成を含めて、中央オフィス受渡し地点（１１０）の、動作およびアーキテクチャを改善し簡素化するための、および／または前記中央オフィス受渡し地点（１１０）内でサービス経路を確立するための遠距離通信ネットワーク（１００）であって、
前記中央オフィス受渡し地点（１１０）および／または前記広帯域アクセス・ネットワーク（１２０）は、コントローラ・ノード（１８０）と、少なくとも１つのリポジトリ・ノード（１８２）と、複数のライン終端ノード（１５１、１５２、１５３）とを備え、
前記複数のライン終端ノード（１５１、１５２、１５３）の特定ライン終端ノード（１５１）は、前記特定ライン終端ノード（１５１）のアクセス・ノード・ポートを使用して、複数のネットワーク終端ノードの少なくとも１つの特定のネットワーク終端ノード（７５）に接続可能であり、
前記広帯域アクセス・ネットワーク（１２０）または前記中央オフィス受渡し地点（１１０）は、複数のサービス・エッジ・ノード（１７１、１７２、１７３）を備え、
前記特定ライン終端ノード（１５１）に接続されて前記特定のネットワーク終端ノード（７５）が活性化されたとき、前記サービス経路が、前記中央オフィス受渡し地点（１１０）内で、または前記中央オフィス受渡し地点（１１０）をトラバースしてセットアップまたは確立され、前記遠距離通信ネットワーク（１００）は、前記サービス経路をセットアップまたは確立するために、
前記特定のネットワーク終端ノード（７５）の識別情報が前記特定ライン終端ノード（１５１）に送信され、
前記特定のネットワーク終端ノード（７５）の前記識別情報が前記リポジトリ・ノード（１８２）に送信され、
前記複数のサービス・エッジ・ノード（１７１、１７２、１７３）の特定のサービス・エッジ・ノード（１７１）が、前記特定のネットワーク終端ノード（７５）の前記識別情報に基づいて選択または決定され、それにより前記特定のネットワーク終端ノード（７５）の前記サービス経路が確立されるように構成される、
遠距離通信ネットワーク（１００）。
【請求項１２】
遠距離通信ネットワーク（１００）の広帯域アクセス・ネットワーク（１２０）内のステートレス中央オフィス受渡し地点構成を含めて、中央オフィス受渡し地点（１１０）の、動作を改善し簡素化するための、および／または前記中央オフィス受渡し地点（１１０）内でサービス経路を確立するためのシステムであって、前記遠距離通信ネットワーク（１００）および前記中央オフィス受渡し地点（１１０）を備え、
前記中央オフィス受渡し地点（１１０）および／または前記広帯域アクセス・ネットワーク（１２０）は、コントローラ・ノード（１８０）と、少なくとも１つのリポジトリ・ノード（１８２）と、複数のライン終端ノード（１５１、１５２、１５３）とを備え、
前記複数のライン終端ノード（１５１、１５２、１５３）の特定ライン終端ノード（１５１）は、特定ライン終端ノード（１５１）のアクセス・ノード・ポートを使用して、複数のネットワーク終端ノードの少なくとも１つの特定のネットワーク終端ノード（７５）に接続可能であり、
前記広帯域アクセス・ネットワーク（１２０）または前記中央オフィス受渡し地点（１１０）は、複数のサービス・エッジ・ノード（１７１、１７２、１７３）を備え、
前記特定ライン終端ノード（１５１）に接続されて前記特定のネットワーク終端ノード（７５）が活性化されたとき、前記サービス経路が、前記中央オフィス受渡し地点（１１０）内で、または前記中央オフィス受渡し地点（１１０）をトラバースしてセットアップまたは確立され、前記システムは、前記サービス経路をセットアップまたは確立するために、
前記特定のネットワーク終端ノード（７５）の識別情報が前記特定ライン終端ノード（１５１）に送信され、
前記特定のネットワーク終端ノード（７５）の前記識別情報が前記リポジトリ・ノード（１８２）に送信され、
前記複数のサービス・エッジ・ノード（１７１、１７２、１７３）の特定のサービス・エッジ・ノード（１７１）が、前記特定のネットワーク終端ノード（７５）の前記識別情報に基づいて選択または決定され、それにより前記特定のネットワーク終端ノード（７５）のための前記サービス経路が確立されるように構成される、
システム。
【請求項１３】
コンピュータ上および／もしくは中央オフィス受渡し地点（１１０）上および／もしくは中央オフィス受渡し地点（１１０）のリポジトリ・ノード（１８２）上、または一部には中央オフィス受渡し地点（１１０）上および／もしくは一部には前記中央オフィス受渡し地点（１１０）のリポジトリ・ノード（１８２）上で実行されたとき、前記コンピュータおよび／または前記中央オフィス受渡し地点（１１０）および／または前記中央オフィス受渡し地点（１１０）の前記リポジトリ・ノード（１８２）に請求項１乃至１０のいずれか１項に記載の方法を実施させるコンピュータ可読プログラム・コードを備えるプログラム。
【請求項１４】
遠距離通信ネットワーク（１００）の広帯域アクセス・ネットワーク（１２０）内のステートレス中央オフィス受渡し地点構成を含めて、中央オフィス受渡し地点（１１０）の、動作およびアーキテクチャを改善し簡素化するための、および／または前記中央オフィス受渡し地点（１１０）内でサービス経路を確立するためのコンピュータ・プログラムを格納する記憶媒体であって、記憶媒体上に記憶されたコンピュータ・プログラムを備え、前記コンピュータ・プログラムは、コンピュータ上および／もしくは中央オフィス受渡し地点（１１０）上および／もしくは中央オフィス受渡し地点（１１０）のリポジトリ・ノード（１８２）上、または一部には中央オフィス受渡し地点（１１０）上および／もしくは一部には前記中央オフィス受渡し地点（１１０）のリポジトリ・ノード（１８２）上で実行されたとき、前記コンピュータおよび／または前記中央オフィス受渡し地点（１１０）および／または前記中央オフィス受渡し地点（１１０）の前記リポジトリ・ノード（１８２）に請求項１乃至１０のいずれか１項に記載の方法を実施させるプログラム・コードを備える、コンピュータ・プログラムを格納する記憶媒体。
【発明の詳細な説明】
【技術分野】
【０００１】
本発明は、特に、遠距離通信ネットワークの広帯域アクセス・ネットワーク内のステートレス中央オフィス受渡し地点構成を含めて、中央オフィス受渡し地点の、改善され簡素化された動作およびアーキテクチャのための、および／または中央オフィス受渡し地点内でサービス経路を確立するための方法に関し、中央オフィス受渡し地点および／または広帯域アクセス・ネットワークは、コントローラ・ノードと、少なくとも１つのリポジトリ・ノードと、複数のライン終端ノードとを備える。
【０００２】
さらに、本発明は、特に、遠距離通信ネットワークの広帯域アクセス・ネットワーク内のステートレス中央オフィス受渡し地点構成を含めて、中央オフィス受渡し地点の、改善され簡素化された動作のための、および／または中央オフィス受渡し地点内でサービス経路を確立するための遠距離通信ネットワークに関する。
【０００３】
さらに、本発明は、特に、遠距離通信ネットワークの広帯域アクセス・ネットワーク内のステートレス中央オフィス受渡し地点構成を含めて、中央オフィス受渡し地点の、改善され簡素化された動作のための、および／または中央オフィス受渡し地点内でサービス経路を確立するためのシステムに関する。
【０００４】
さらに、本発明は、本発明の遠距離通信ネットワークの、または本発明のシステムの中央オフィス受渡し地点のリポジトリ・ノードに関する。
【背景技術】
【０００５】
広帯域通信システムまたは遠距離通信ネットワークにおけるパケット化された情報の交換は、共にワイヤレス通信システム（または固定回線通信ネットワークおよびモバイル通信ネットワーク）におけるものとしての固定回線において、すでに劇的に成長を遂げており、そのような通信ネットワークにおける異なるデータサービスの急速な拡大により、おそらくは将来もまた成長することになろう。
【０００６】
本発明は、一般に、遠隔または中央のアクセス・ノードを遠距離通信ネットワーク、たとえば５ＧまたはＣＯＲＤ（Ｃｅｎｔｒａｌ  Ｏｆｆｉｃｅ  Ｒｅ−ａｒｃｈｉｔｅｃｔｅｄ  ａｓ  ａ  Ｄａｔａ  Ｃｅｎｔｅｒ）など広帯域アクセス・ネットワーク・プラットフォームのバックボーン・ネットワークまたはコア・ネットワークにリンクするアグリゲーション・ネットワークの分野に関する。
【０００７】
典型的には、そのようなアーキテクチャでは、複数のネットワーク終端ポートがアクセス・ノード（たとえば、ＤＳＬＡＭデバイス（Ｄｉｇｉｔａｌ  Ｓｕｂｓｃｒｉｂｅｒ  Ｌｉｎｅ  アクセスａｃｃｅｓｓ  Ｍｕｌｔｉｐｌｅｘｅｒ）またはＯＬＴ（光回線終端装置）デバイス）によって集約され、データセンタ・ファブリックなどレイヤ２インフラストラクチャを介して加入者終端デバイスに相互接続される。
【０００８】
今日の広帯域ネットワークでは、光ネットワーク・ターミナル・デバイス（またはネットワーク終端ノード）は、光回線終端装置（または回線終端ノード）によって認証されることを必要とする。これは、典型的には、光ネットワーク・ターミナル・デバイス（ネットワーク終端ノード）が接続される前に、デバイス特有の情報（基本クレデンシャル、通常、シリアル番号）に関する知識を必要とする。ネットワーク・オペレータは、典型的には光ネットワーク・ターミナル・デバイス（またはネットワーク終端ノード）を所有および提供し、したがって、典型的にはネットワーク・オペレータ技術者によってセットアップ時に構成される組み込まれたクレデンシャル（識別情報またはハードウェア識別情報またはシリアル番号など）について知っている。
【０００９】
使用されるＰＯＮ（受動光ネットワーク）または光ネットワーク・ターミナルまたはホーム・ゲートウェイ・デバイスの顧客による自由選択の（規制）要件を満たすために、ネットワーク・オペレータは、これらの組み込まれた／事前構成されたクレデンシャルを有していない、または少なくともネットワーク・オペレータによって信頼を得ている組み込まれた／事前構成されたクレデンシャルを有していない未知の光ネットワーク・ターミナル（またはネットワーク終端ノード）をどのように認証するかという挑戦課題に直面している。
【００１０】
同様の挑戦課題が、固定ワイヤレス・アクセス（ＦＷＡ）またはワイヤレス・トゥ・ザ・ホーム（ＷＴＴＨ）インフラストラクチャの文脈において生じる。ＦＷＡおよびＷＴＴＨは、光ファイバ・ネットワークとエンドユーザの敷地との間の「ラスト・マイル」のためのワイヤレス通信ブリッジを提供するハイブリッド技術である。これは、たとえばユーザの敷地の近く（たとえば、街灯上）に無線セルを設置することを含むことができ、これは、ユーザの敷地上の屋外アンテナからのワイヤレス信号のためのアクセス・ポイントを提供する。未知の光ネットワーク・ターミナルの場合のように、ユーザの敷地上の終端ノードの直接認証は、組み込まれた／事前構成されたクレデンシャルなどデバイス特有の情報の知識がオペレータにないことによって妨げられる。
【発明の概要】
【発明が解決しようとする課題】
【００１１】
本発明の目的は、特に、遠距離通信ネットワークの広帯域アクセス・ネットワーク内のステートレス中央オフィス受渡し地点構成を含めて、中央オフィス受渡し地点の、改善され簡素化された動作およびアーキテクチャのための、および／または中央オフィス受渡し地点内でサービス経路を確立するための技術的に単純、効果的、およびコスト効果的な解決策であって、中央オフィス受渡し地点および／または広帯域アクセス・ネットワークは、コントローラ・ノードと、少なくとも１つのリポジトリ・ノードと、複数のライン終端ノードとを備え、複数のライン終端ノードの特定のライン終端ノードは、特定のライン終端ノードのアクセス・ノード・ポートを使用して、複数のネットワーク終端ノードの１つの特定のネットワーク終端ノードに接続可能であり、広帯域アクセス・ネットワークまたは中央オフィス受渡し地点は、複数のサービス・エッジ・ノードを備え、特定のライン終端ノードに接続されて特定のネットワーク終端ノードが活性化されたとき、サービス経路が、中央オフィス受渡し地点内で、または中央オフィス受渡し地点をトラバースしてセットアップまたは確立される、解決策を提供することである。本発明のさらなる目的は、対応する遠距離通信ネットワーク、対応するシステム、および対応する中央オフィス受渡し地点を提供することである。
【課題を解決するための手段】
【００１２】
本発明の目的は、特に、遠距離通信ネットワークの広帯域アクセス・ネットワーク内のステートレス中央オフィス受渡し地点構成を含めて、中央オフィス受渡し地点の、改善され簡素化された動作およびアーキテクチャのための、および／または中央オフィス受渡し地点内でサービス経路を確立するための方法であって、
中央オフィス受渡し地点および／または広帯域アクセス・ネットワークは、コントローラ・ノードと、少なくとも１つのリポジトリ・ノードと、複数のライン終端ノードとを備え、複数のライン終端ノードの特定のライン終端ノードは、−特定のライン終端ノードのアクセス・ノード・ポートを使用して−、複数のネットワーク終端ノードの１つの特定のネットワーク終端ノードに接続可能であり、
広帯域アクセス・ネットワークまたは中央オフィス受渡し地点は、複数のサービス・エッジ・ノードを備え、
−特定のライン終端ノードに接続されて特定のネットワーク終端ノードが活性化されたとき−、サービス経路が、中央オフィス受渡し地点内で、または中央オフィス受渡し地点をトラバースしてセットアップまたは確立される、方法によって達成され、サービス経路をセットアップまたは確立するためのこの方法は、以下のステップ、すなわち、
−  第１のステップでは、特定のネットワーク終端ノードの識別情報が特定のライン終端ノードに送信され、
−  第２のステップでは、第１のステップに続いて、特定のネットワーク終端ノードの識別情報がリポジトリ・ノードに送信され、
−  第３のステップでは、第２のステップに続いて、複数のサービス・エッジ・ノードの特定のサービス・エッジ・ノードが、特定のネットワーク終端ノードの識別情報に基づいて選択または決定され、それにより特定のネットワーク終端ノードのためのサービス経路が確立されるステップを備える。本発明の好ましい実施形態によれば、方法の第１のステップに関して、複数のサービス・エッジ・ノードの特定のサービス・エッジ・ノードは、コントローラ・ノードによって選択または決定される。特に好ましい実施形態では、方法の第２のステップに関して、特定のネットワーク終端ノードの識別情報は、コントローラ・ノードを介してリポジトリ・ノードに送信される。
【００１３】
これによって、本発明によれば、顧客コネクティビティを検証することに鑑みてコネクティビティをサービス・エッジに提供するために、信頼を得ていない光ネットワーク・ターミナル・デバイス（またはネットワーク終端ノード）を検出するための解決策を提供することが可能であることが有利である。特に本発明によれば、組み込まれた、しかし未知の識別情報またはハードウェアＩＤ（特にシリアル番号など、または別のハードウェア識別情報）を、顧客セッションおよび（中央オフィス）受渡し地点内での経路セットアップと相関するために、未知の光ネットワーク・ターミナル・デバイス（またはネットワーク終端ノード）を検出することが可能であることが有利である。
【００１４】
従来知られている遠距離通信ネットワーク−特に、典型的にはアクセスアクセスＰＯＤ（中央オフィス受渡し地点）のバックボーンを提供する、典型的にはいわゆるＳＤＮベースの（ソフトウェア定義ネットワークベースの）ネットワークまたはスイッチング・ネットワークであるスイッチング・ネットワーク−では、ＳＤＮ（ソフトウェア定義ネットワーク）コントローラが、たとえばリーフおよびスパイン・スイッチ（またはノード）など、中央オフィス受渡し地点の異なるノード間のコネクティビティを処理する。従来知られている遠距離通信ネットワークでは、この構成は、典型的には一方で特定の光ネットワーク・ターミナル・デバイス（または特定のネットワーク終端ノード）と、他方でサービス・エッジ・ノードとの間の相互割当てを提供する（または実現する）発信元および宛先識別子（ＩＤまたは識別情報）によって行われる。使用される受動光ネットワーク（ＰＯＮ）構成要素または光ネットワーク・ターミナルの自由選択により、光ネットワーク・ターミナル・デバイス（またはネットワーク終端ノード）の身元（または識別情報）がネットワーク・オペレータにとって未知である（または光ネットワーク・ターミナル・デバイスまたはネットワーク終端ノードの身元がネットワーク・オペレータの制御下にない）ことになり、したがって、従来知られている遠距離通信ネットワークでは、そのような割当てを、使用されるＰＯＮ構成要素または光ネットワーク・ターミナルの自由選択を伴う受動光ネットワークベースの（ＰＯＮベースの）アクセスに延長することが可能でない。なぜなら、中央オフィスベースの構成制御は、光ネットワーク・ターミナル・デバイスの（もしくはネットワーク終端ノードの）識別情報の、レイヤ２回路ＩＤ（ラインＩＤもしくは回線識別確認情報に対応する）に対する関係が失われているか、またはサービス・エッジ・ノードでは、光ネットワーク・ターミナル・デバイス（またはネットワーク終端ノード）の識別情報に対するセッション相関を実施することができないので、効率的に機能しないからである。
【００１５】
従来知られている遠距離通信ネットワークにおける別の問題は、卸売りパートナに向かうレイヤ２ハンドオフ・ポートに関する物理的に固定された割当てである。これにより、典型的にはネットワーク・オペレータは、（広帯域ネットワークゲートウェイ、ＢＮＧなど）サービス・エッジ・ノードにて、単一の変更不能なハンドオフ・ポートを提供せざるを得ない。
【００１６】
特に本発明によれば、これらの欠点を回避し、一方で光回線終端装置デバイス（またはライン終端ノード）と、他方でレイヤ２サービス・エッジ・ノードとの間の（中央オフィス受渡し地点内での）柔軟なファブリック・セットアップを提供することが可能であることが有利である。
【００１７】
したがって、本発明によれば、広帯域アクセス・ネットワーク−しかし特に中央オフィス受渡し地点−内で、一方で特定のネットワーク終端ノードと、他方で複数の可能なサービス・エッジ・ノードの特定の選択された（または割り当てられた）サービス・エッジ・ノードとの間で、サービス経路が確立されることが可能であることが有利である。本発明によれば、−広帯域アクセス・ネットワーク内、特に中央オフィス受渡し地点内のリポジトリ・ノードを使用することによって−（特定のライン終端ノードに接続されて）特定のネットワーク終端ノードが活性化したとき、中央オフィス受渡し地点内で、または中央オフィス受渡し地点をトラバースして、そのようなサービス経路がセットアップまたは確立されることが可能であることが有利であり、これは、
−  第１のステップにおいて、特定のネットワーク終端ノードの識別情報を特定ライン終端ノードに送信し、
−  第２のステップにおいて、特定のネットワーク終端ノードの識別情報をリポジトリ・ノードに送信し、
−  第３のステップにおいて、特定のネットワーク終端ノードの識別情報に基づいて複数のサービス・エッジ・ノードの特定のサービス・エッジ・ノードを選択または決定することによる。
【００１８】
本発明の方法は、光ファイバ・ネットワークとエンドユーザの敷地上の終端ノードとの間のラスト・マイルがワイヤレス接続によって橋渡しされる固定ワイヤレス・アクセス（ＦＷＡ）またはワイヤレス・トゥ・ザ・ホーム（ＷＴＴＨ）インフラストラクチャ内でも実装することができる。そのようなワイヤレス通信の標準は、ＩＥＥＥ８０２．１１に指定されている。ＷｉＦｉ信号の周波数は、ＩＥＥＥ８０２．１１ａｄまたは８０２．１１ａｙによる６０ＧＨｚ範囲（ミリメートル範囲の波長に対応する）にある。ＷｉＦｉを介したそのような接続は、固定回線技術から知られているマルチギガビット・サービスの提供を可能にする。最終的な目標は、加入者の家まで全体にわたって光ファイバ接続を提供することである（ファイバ・トゥ・ザ・ホームまたはＦＴＴＨ）。ＷＴＴＨ技術は、暫定期間の間の過渡的な解決策と考えることができる。この目的のために設置される無線セルは、ローカルＷｉＦｉのために、またはＷｉＦｉバックホールとして使用することもできる。
【００１９】
複数の自律的なアクセス・ポイントを効果的に管理するために、対応する管理機能が、指定されたコントローラ（たとえば、いわゆるＳｐｌｉｔ−ＭＡＣアーキテクチャの形態にある）によって実施される。そのような管理機能は、無線チャネル上のフレームの処理において統合的な役割を果たさず、したがって、多数のアクセス・ポイントを調整する中央プラットフォームによって適切に実施される。したがって、アクセス・ポイントは、ＷｉＦｉステーションの認証、セキュリティ・ポリシの管理、無線チャネルの選択、または電力出力の構成などの機能のために、コントローラに依存するようになる。リーフ−スパイン環境にいて動的接続を制御するために、中央コントローラは、終端ポイントを認識し、アクセス・ポイントおよびそれらのホーム・ユニットを発見することができなければならない。従来知られている遠距離通信ネットワークでは、これらの接続は要素管理ステーション（ＥＭＳ）の制御下で静的にセットアップされる。そのような静的接続は、固定されたものであり、それらの属性は、サービス展開ライフサイクル中に変化しない。しかし、ＳＤＮベースの設定では、これらの接続属性は、動的に管理され、ライフサイクル中に修正される。
【００２０】
本発明の方法をそのようなワイヤレス・アクセス技術の枠組み内で利用することにより、サービス・プロバイダがワイヤレス領域において動的なリソース管理を実施することを可能にする機構が提供される。この文脈では、特定のネットワーク終端ノードは、典型的にはユーザの敷地上のワイヤレスステーションであり、特定ライン終端ノードは、典型的には光ファイバ・ネットワークのアクセス・ポイントである。ユーザは、たとえば、回線クレデンシャルの形態にある特定のネットワーク終端ノードの識別情報を特定ライン終端ノードに接続されたターミナルデバイスにおいて、または特定ライン終端ノードそれ自体において直接、入力することができる。これは、特定ライン終端ノードの初期構成プロセス中に行われることが好ましい。本発明の方法の第１のステップでは、識別情報は、特定ライン終端ノードにワイヤレスで送信される。第２のステップでは、第１のステップに続いて、特定のネットワーク終端ノードの識別情報がリポジトリ・ノードに送信される。好ましい実施形態によれば、リポジトリ・ノードは、コントローラ・ノードによってアクセスを受けることができるローカル・データベースを備える。さらに、このローカル・データベースは、識別情報をラインＩＤにマッピングし、それにより認証プロセスを完了することが好ましい。第３のステップでは、第２のステップに続いて、複数のサービス・エッジ・ノードの特定のサービス・エッジ・ノードが、特定のネットワーク終端ノードの識別情報に基づいて選択または決定される。このプロセスを通して、特定のネットワーク終端ノードのためのサービス経路が確立される。
【００２１】
本発明による遠距離通信ネットワークは、固定回線遠距離通信ネットワークまたはモバイル通信ネットワークであり得るが、好ましくは、固定回線遠距離通信ネットワークの側面（または一部）（またはそのような一部における固定回線遠距離通信ネットワークである）と、モバイル通信ネットワークの側面（または一部）（またはそのような一部におけるモバイル通信ネットワークである）とを有する遠距離通信ネットワークであり、そのようなネットワークは、固定モバイル融合ネットワーク（ＦＭＣネットワーク）という用語でも知られている。
【００２２】
さらに、本発明によれば、特定のネットワーク終端ノードの識別情報は、特定のネットワーク終端ノードのハードウェア識別情報、特に特定のネットワーク終端ノードのシリアル番号であることが可能であり好ましいことが有利である。
【００２３】
特定のネットワーク終端ノードの識別情報が特定のネットワーク終端ノードのハードウェア識別情報、特に特定のネットワーク終端ノードのシリアル番号であることによって、特定のネットワーク終端ノードを容易に識別すること、および／または異なるネットワーク終端ノードを区別することが可能であることが有利である。さらに好ましい実施形態によれば、特定のネットワーク終端ノードの識別情報は、識別情報が一意である、特に普遍的に一意であるような特定のネットワーク終端ノードのハードウェア識別情報である。
【００２４】
さらに、本発明の代替実施形態によれば、リポジトリ・ノードは、関連の情報、特に広帯域アクセス・ネットワーク内または中央オフィス受渡し地点内の複数のネットワーク終端ノードのすべてのネットワーク終端ノードに関する対応する識別情報、および特に複数の対応するサービス経路に関する識別確認情報を備え、またはそれらにアクセスすることができることが好ましく、リポジトリ・ノードは、特に１つまたは複数の以下の情報、すなわち、
−  特にポート・ステータス・メッセージによって取り出された、ネットワーク終端ノードの識別情報
−  特にポート・ステータス・メッセージによって取り出された、ライン終端ノードのアクセス・ノード・ポートの識別確認情報、特に光ノード・ユニット識別確認情報
−  特に回線識別確認情報サーバによって提供された回線識別確認情報
−  対応するサービス・エッジ・ノードの識別確認情報を備え、またはそれらにアクセスすることができる。
【００２５】
これによって、ネットワーク・オペレータの制御下にない、−したがって最初にネットワーク・オペレータにとって未知のである光ネットワーク・ターミナル・デバイスネットワークまたは終端ノードの識別確認を実現することが可能であることが有利である。
【００２６】
本発明のさらに好ましい実施形態によれば、中央オフィス受渡し地点および／または広帯域アクセス・ネットワークは、−コントローラ・ノードおよび少なくとも１つのリポジトリ・ノードの他に−、運営管理ノードまたはデータベース、プラットフォーム制御サーバ・ノード、プラットフォーム制御サーバ・クライアント・ノードを備え、プラットフォーム制御サーバ・クライアント・ノードは、コントローラ・ノード内に位置することが好ましい。
【００２７】
これによって、特にステートレス中央オフィス受渡し地点構成を含めて、中央オフィス受渡し地点の、改善され簡素化された動作およびアーキテクチャの本発明の方法を容易かつ効果的に実現することが可能であることが有利である。
【００２８】
本発明のさらなる実施形態によれば、第４のステップでは、第２のステップに続いて、また第３のステップの前に、回線識別確認情報が、−回線識別確認情報サーバによって、また特定のネットワーク終端ノードの識別情報が第２のステップ中にリポジトリ・ノードに送信されることに鑑みて−、生成または提供され、特に第４のステップ中および／または第４のステップに続いて、インフラストラクチャ識別確認情報が特定のネットワーク終端ノードに割り当てられる。
【００２９】
回線識別確認情報サーバによって、特定のネットワーク終端ノードの識別情報が第２のステップ中にリポジトリ・ノードに送信されることに鑑みて回線識別確認情報を生成または提供することによって、セッション・コンテキストの場合（たとえば、ポイント・トゥ・ポイント・プロトコル（ＰＰＰ）または動的ホスト構成プロトコル（ＤＨＣＰ）などを介して顧客ダイヤルインを使用して）のために本発明の方法を実現することが可能であることが有利である。
【００３０】
本発明のさらなる実施形態によれば、第５のステップでは、第２のステップに続いて、また第３のステップの前に、ビット・ストリーム・アクセス情報および／またはビジネス・ポート情報が、特定のネットワーク終端ノードの識別情報が第２のステップ中にリポジトリ・ノードに送信されることに鑑みて、生成または提供される。
【００３１】
特定のネットワーク終端ノードの識別情報が第２のステップ中にリポジトリ・ノードに送信されることに鑑みてビット・ストリーム・アクセス情報および／またはビジネス・ポート情報を生成および提供することによって、セッション・コンテキストなしでのアクセス展開の場合のために本発明の方法を実現することが可能であることが有利である。
【００３２】
本発明のさらなる実施形態によれば、第６のステップでは、第３のステップに続いて、かつ特定のネットワーク終端ノードが非活性化したとき、特定のネットワーク終端ノードのサービス経路がリポジトリ・ノード内で解放され、特に特定のネットワーク終端ノードの非活性化イベントが、エラー履歴データベースノード内に記録される。
【００３３】
これによって、本発明の方法を容易かつ効果的に実装することが可能であることが有利である。
【００３４】
本発明のさらなる実施形態によれば、第７のステップでは、第６のステップに続いて、かつ−特定ライン終端ノードに、または別の特定ライン終端ノードに接続されて−特定のネットワーク終端ノードが再活性化したとき、サービス経路または別のサービス経路が中央オフィス受渡し地点内で、または中央オフィス受渡し地点をトラバースしてセットアップまたは確立される。
【００３５】
これによって、本発明の方法を容易かつ効果的に実装することが可能であることが有利である。
【００３６】
さらに、本発明は、特に、遠距離通信ネットワークの広帯域アクセス・ネットワーク内のステートレス中央オフィス受渡し地点構成を含めて、中央オフィス受渡し地点の、改善され簡素化された動作のための、および／または中央オフィス受渡し地点内でサービス経路を確立するための遠距離通信ネットワークであって、
中央オフィス受渡し地点および／または広帯域アクセス・ネットワークは、コントローラ・ノードと、少なくとも１つのリポジトリ・ノードと、複数のライン終端ノードとを備え、複数のライン終端ノードの特定のライン終端ノードは、−特定のライン終端ノードのアクセス・ノード・ポートを使用して−、複数のネットワーク終端ノードの１つの特定のネットワーク終端ノードに接続可能であり、
広帯域アクセス・ネットワークまたは中央オフィス受渡し地点は、複数のサービス・エッジ・ノードを備え、
−特定のライン終端ノードに接続されて特定のネットワーク終端ノードが活性化されたとき−、サービス経路が、中央オフィス受渡し地点内で、または中央オフィス受渡し地点をトラバースしてセットアップまたは確立され、遠距離通信ネットワークは、サービス経路をセットアップまたは確立するために、
−  特定のネットワーク終端ノードの識別情報が特定ライン終端ノードに送信され、
−  特定のネットワーク終端ノードの識別情報がリポジトリ・ノードに送信され、
−  複数のサービス・エッジ・ノードの特定のサービス・エッジ・ノードが、特定のネットワーク終端ノードの識別情報に基づいて選択または決定され、それにより特定のネットワーク終端ノードのためのサービス経路が確立されるように構成される、遠距離通信ネットワークに関する。
【００３７】
さらに、本発明は、特に、遠距離通信ネットワークの広帯域アクセス・ネットワーク内のステートレス中央オフィス受渡し地点構成を含めて、中央オフィス受渡し地点の、改善され簡素化された動作のための、および／または中央オフィス受渡し地点内でサービス経路を確立するためのシステムであって、遠距離通信ネットワークおよび中央オフィス受渡し地点を備え、
中央オフィス受渡し地点および／または広帯域アクセス・ネットワークは、コントローラ・ノードと、少なくとも１つのリポジトリ・ノードと、複数のライン終端ノードとを備え、複数のライン終端ノードの特定のライン終端ノードは、−特定のライン終端ノードのアクセス・ノード・ポートを使用して−、複数のネットワーク終端ノードの１つの特定のネットワーク終端ノードに接続可能であり、
広帯域アクセス・ネットワークまたは中央オフィス受渡し地点は、複数のサービス・エッジ・ノードを備え、
−特定のライン終端ノードに接続されて特定のネットワーク終端ノードが活性化されたとき−、サービス経路が、中央オフィス受渡し地点内で、または中央オフィス受渡し地点をトラバースしてセットアップまたは確立され、システムは、サービス経路をセットアップまたは確立するために、
−  特定のネットワーク終端ノードの識別情報が特定ライン終端ノードに送信され、
−  特定のネットワーク終端ノードの識別情報がリポジトリ・ノードに送信され、
−  複数のサービス・エッジ・ノードの特定のサービス・エッジ・ノードが、特定のネットワーク終端ノードの識別情報に基づいて選択または決定され、それにより特定のネットワーク終端ノードのためのサービス経路が確立されるように構成されるシステムに関する。
【００３８】
本発明の好ましい実施形態−特に本発明の遠距離通信ネットワークに関して、および／または本発明のシステムに関して−によれば、特定のネットワーク終端ノードの識別情報は、特定のネットワーク終端ノードのハードウェア識別情報、特に特定のネットワーク終端ノードのシリアル番号である。
【００３９】
さらに、本発明の好ましい実施形態−特に本発明の遠距離通信ネットワークに関して、および／または本発明のシステムに関して−によれば、リポジトリ・ノードは、関連の情報、特に広帯域アクセス・ネットワーク内または中央オフィス受渡し地点内の複数のネットワーク終端ノードのすべてのネットワーク終端ノードに関する対応する識別情報、および特に複数の対応するサービス経路に関する識別確認情報を備え、またはそれらにアクセスすることができ、リポジトリ・ノードは、特に１つまたは複数の以下の情報、すなわち、
−  特にポート・ステータス・メッセージによって取り出された、ネットワーク終端ノードの識別情報
−  特にポート・ステータス・メッセージによって取り出された、ライン終端ノードのアクセス・ノード・ポートの識別確認情報、特に光ノード・ユニット識別確認情報
−  特に回線識別確認情報サーバによって提供された回線識別確認情報
−  対応するサービス・エッジ・ノードの識別確認情報を備え、またはそれらにアクセスすることができる。
【００４０】
さらに、本発明は、本発明の遠距離通信ネットワークの、または本発明のシステムの中央オフィス受渡し地点のリポジトリ・ノードに関し、および／または本発明の遠距離通信ネットワークにおける、または本発明のシステムにおける、または本発明の方法における、中央オフィス受渡し地点のリポジトリ・ノードの使用に関する。
【００４１】
なおさらに、本発明は、コンピュータ上および／もしくは中央オフィス受渡し地点上および／もしくは中央オフィス受渡し地点のリポジトリ・ノード上、または一部には中央オフィス受渡し地点上および／もしくは一部には中央オフィス受渡し地点のリポジトリ・ノード上で実行されたとき、コンピュータおよび／または中央オフィス受渡し地点および／または中央オフィス受渡し地点のリポジトリ・ノードに本発明の方法を実施させるコンピュータ可読プログラム・コードを備えるプログラムに関する。
【００４２】
さらに、本発明は、特に、遠距離通信ネットワークの広帯域アクセス・ネットワーク内のステートレス中央オフィス受渡し地点構成を含めて、中央オフィス受渡し地点の、改善され簡素化された動作のための、および／または中央オフィス受渡し地点内でサービス経路を確立するためのコンピュータ・プログラム製品に関し、コンピュータ・プログラム製品は、記憶媒体上に記憶されたコンピュータ・プログラムを備え、コンピュータ・プログラムは、コンピュータ上および／または中央オフィス受渡し地点上および／または中央オフィス受渡し地点のリポジトリ・ノード上、または一部には中央オフィス受渡し地点上および／または一部には中央オフィス受渡し地点のリポジトリ・ノード上で実行されたとき、コンピュータおよび／または中央オフィス受渡し地点および／または中央オフィス受渡し地点のリポジトリ・ノードに本発明の方法を実施させるプログラム・コードを備える。
【００４３】
本発明のこれらの、および他の特性、特徴、および利点は、例として本発明の原理を例示する添付の図面と併せ読めば、以下の詳細な説明から明らかになろう。この説明は、本発明の範囲を限定することなしに、単に例として与えられている。下記の符号は、添付の図面を参照する。
【図面の簡単な説明】
【００４４】
【図１】中央オフィス受渡し地点を有する広帯域アクセス・ネットワークを有する、本発明による遠距離通信ネットワークの概略図である。
【図２】中央オフィス受渡し地点および複数のサービス・エッジ・ノードを有する本発明の遠距離通信ネットワークの広帯域アクセス・ネットワークの一部の概略図である。
【図３】未知の（または少なくとも以前未知の）光ネットワーク・ターミナル（またはネットワーク終端ノード）の本発明のネットワーク・アタッチ・プロセスに関する概略通信図である。
【図４】ユーザ・セッション識別確認に関する概略通信図である。
【図５】リポジトリ・ノードのエントリの一例の概略図であり、エントリは、未知の（または少なくとも以前未知の）光ネットワーク・ターミナル（またはネットワーク終端ノード）に関係する。
【図６】未知の（または少なくとも以前未知の）ネットワーク終端ノードの本発明のネットワーク・アタッチ・プロセスを実施する固定ワイヤレス・アクセス（ＦＷＡ）またはワイヤレス・トゥ・ザ・ホーム（ＷＴＴＨ）インフラストラクチャの一例の概略図である。
【発明を実施するための形態】
【００４５】
本発明について特定の実施形態に関して、いくつかの図面を参照して述べるが、本発明はそれらに限定されず、特許請求の範囲によってのみ限定される。記載の図面は、概略的なものにすぎず、非限定的なものである。図面では、要素のうちのいくつかのサイズは、例示のために強調され、原寸に比例して示されていないことがある。
【００４６】
単数名詞を参照するとき不定冠詞または定冠詞、たとえば「ａ」「ａｎ」「ｔｈｅ」が使用される場合、これは別段具体的に述べられていない限り、その名詞の複数形を含む。
【００４７】
さらに、説明における、また特許請求の範囲における第１、第２、第３などの用語は、同様の要素同士を区別するために使用され、必ずしも順序または時系列について述べるために使用されない。そのように使用される用語は、適切な状況下で交換可能であり、本明細書に記載の本発明の実施形態は、本明細書に記載されている、または示されているもの以外の順序で動作することができることを理解されたい。
【００４８】
図１には、−好ましくは−少なくとも固定回線部分を有する本発明による遠距離通信ネットワーク１００が概略的に示されている。モバイル（またはセルラ）部分もまた遠距離通信ネットワーク１００の一部として存在し得るが、図１には具体的に示されていない。ユーザ機器またはクライアント・デバイス５１、５２が、（広帯域）アクセス・ネットワーク１２０によって遠距離通信ネットワーク１００に接続されている。遠距離通信ネットワーク１００は、バックボーン・ネットワーク１３０と、特に広帯域アクセス・ネットワーク１２０の一部として、好ましくはデータ・センタ内で実現され、特に異なるアクセス要件、遠距離通信ネットワーク１００によって、または遠距離通信ネットワーク１００を介して提供されるネットワーク機能への特にクライアント・デバイス５１、５２の異なるアクセス可能性を処理している少なくとも１つの論理的または物理的な中央オフィス受渡し地点１１０とを備える。クライアント・デバイス５１、５２は、典型的には顧客宅内機器デバイス５０、５０’によって、またはクライアント・デバイス５１、５２内に組み込まれ得る顧客宅内機器機能によって論理的または物理的な中央オフィス受渡し地点１１０に接続される。必須ではないが好ましくは、中央オフィス受渡し地点１１０は、複数のスパインネットワークノードを備えるスイッチング・ファブリック１１５と、また典型的には、図１には明示的に表されていない複数のリーフネットワークノードとを備える。
【００４９】
図２は、中央オフィス受渡し地点１１０を遠距離通信ネットワーク１００の広帯域アクセス・ネットワーク１２０の一部として概略的に示し、遠距離通信ネットワーク１００の表されている部分は、−コントローラ・ノード１８０および少なくとも１つのリポジトリ・ノード１８２の他に−、複数のライン終端ノード１５１、１５２、１５３を備える。典型的にはライン終端ノード１５１、１５２、１５３のそれぞれは、１つまたは複数のアクセス・ノード・ポート（図２には具体的に図示せず）を有する。図２に表されている例では、広帯域アクセス・ネットワーク１２０は、３つのライン終端ノード、第１のライン終端ノード１５１と第２のライン終端ノード１５２と第３のライン終端ノード１５３とを備える。ライン終端ノード１５１、１５２、１５３は、ホーム・ゲートウェイまたは顧客宅内機器５０への異なるアクセス技術をサポートするために提供され得る。図２に示されている例示的な実施形態では、第１のライン終端ノード１５１は、光ネットワーク、特に受動光ネットワーク（ＰＯＮ）に接続されることをサポートするライン終端ノード、典型的にはいわゆる光回線終端装置（ＯＬＴ）または光回線終端装置デバイスとしてとられている。そのような状況では、クライアント・デバイス５１は、遠距離通信ネットワーク１００に（すなわち第１の（または特定のとも呼ばれる）ライン終端ノード１５１に）顧客宅内機器５０（またはホーム・ゲートウェイ・デバイス５０）およびネットワーク終端ノード７５を介して接続される。顧客宅内機器５０（またはホーム・ゲートウェイ・デバイス５０）の機能とネットワーク終端ノード７５の機能は、１つのデバイスまたは「ボックス」内で一体化されることもある。クライアント・デバイス５１の機能さえ、顧客宅内機器５０（またはホーム・ゲートウェイ・デバイス５０）の機能とネットワーク終端ノード７５の機能は、１つのデバイスまたは「ボックス」内で一体化されることがある。しかし、これらの機能は、図２では、別々の機能として表されている。図２では、１つだけのホーム・ゲートウェイ・デバイス５０（または顧客宅内機器５０）（すなわち特定の顧客敷地機器）と、１つだけのクライアント・デバイス５１と、１つだけのネットワーク終端ノード７５（すなわち特定のネットワーク終端ノード）が示されている。しかし、第２のライン終端ノード１５２および／または第３のライン終端ノード１５３もまた、対応するネットワーク終端ノードおよび顧客宅内機器（図２には表されていない）に接続され得る。
【００５０】
本発明の文脈では、「特定の」または検討しているエンティティを広帯域アクセス・ネットワーク１２０内の同じ種類の他のエンティティから分離するために、第１のライン終端ノード１５１は特定ライン終端ノード１５１とも呼ばれ、第１のライン終端ノード１５１に接続されたネットワーク終端ノード７５は、特定のネットワーク終端ノード７５とも呼ばれ、特定のネットワーク終端ノード７５に接続された顧客宅内機器５０は、特定の顧客宅内機器とも呼ばれる。
【００５１】
複数のアクセス・ノード・ポートを有するライン終端ノード１５１、１５２、１５３の場合、複数のネットワーク終端ノードもまた、１つのライン終端ノード１５１、１５２、１５３に接続されることが可能であり、および／またはネットワーク終端ノードが複数のポートを有する場合、複数の顧客宅内機器もまた、１つのネットワーク終端ノードに接続されることが可能である。
【００５２】
本発明によれば、遠距離通信ネットワーク１００の広帯域アクセス・ネットワーク１２０内の中央オフィス受渡し地点１１０の、改善され簡素化された動作のための方法、ならびに中央オフィス受渡し地点１１０の対応するアーキテクチャが提供される。特に、これは、本発明に従って、特に中央オフィス受渡し地点１１０のステートレス構成が可能であるように、中央オフィス受渡し地点１１０内でサービス経路を確立するように働く。
【００５３】
中央オフィス受渡し地点１１０および／または広帯域アクセス・ネットワーク１２０は、コントローラ・ノード１８０と、少なくとも１つのリポジトリ・ノード１８２と、複数のライン終端ノード１５１、１５２、１５３と、複数のサービス・エッジ・ノード１７１、１７２、１７３、１７４とを備え、複数のライン終端ノードの特定ライン終端ノード１５１は、−特定ライン終端ノード１５１のアクセス・ノード・ポートを使用して−、典型的には（ただし図２には図示されていない複数のネットワーク終端ノードの）特定のネットワーク終端ノード７５の１つのだけに接続可能である。
【００５４】
本発明によれば、特定ライン終端ノード１５１に接続されて特定のネットワーク終端ノード７５が活性化されたとき−、中央オフィス受渡し地点１１０内で、または中央オフィス受渡し地点１１０をトラバースしてセットアップまたは確立され、サービス経路をセットアップまたは確立するためのこの方法は、以下のステップ、すなわち、
−  第１のステップでは、特定のネットワーク終端ノード７５の識別情報が特定のライン終端ノード１５１に送信され、
−  第２のステップでは、第１のステップに続いて、特定のネットワーク終端ノード７５の識別情報がリポジトリ・ノード１８２に送信され、
−  第３のステップでは、第２のステップに続いて、複数のサービス・エッジ・ノード１７１、１７２、１７３、１７４の特定のサービス・エッジ・ノード１７１が、特定のネットワーク終端ノード７５の識別情報に基づいて選択または決定され、それにより特定のネットワーク終端ノード７５のためのサービス経路が確立されるステップを備える。
【００５５】
したがって、図２は、中央オフィス受渡し地点１１０の典型的なセットアップを概略的に示す。特定の顧客宅内機器５０（または特定のホーム・ゲートウェイ５０）は、特定の光ネットワーク・ターミナル（または特定のネットワーク終端ノード７５）および特定の光回線終端装置（ＯＬＴＭＡＣ）（または特定ライン終端ノード１５１）を介して（複数のリーフ・スイッチ１６１、１６２、１６３の）複数のスパイン・スイッチ１７１、１７２、１７３においてデュアルホーム型であるリーフ・スイッチ１６１に接続される。図２に示されている例示的な実施形態では、複数のスパイン・スイッチ１７１、１７２、１７３もまた、サービス・エッジの機能または、特に組み込まれたプレーンなインターネット・アクセスのためのサービス・エッジ・ユーザ・プレーン機能または機能性（ＳＥ＿Ｕ）を有すると仮定されている。しかし、スパイン・スイッチ機能は、サービス・エッジ機能から分離されることもあり、逆も同様である。すなわち、サービス・エッジ機能または機能性もまた、中央オフィス受渡し地点内の（スパイン・スイッチ機能とは）異なるノード内にあってもよい。しかし、符号１７１、１７２、１７３、１７４は、サービス・エッジ機能を指し、サービス・エッジ機能がスパイン・スイッチ機能から分離されている（または対応するノードが分離されている）場合、ネットワークノードの追加のレイヤがリーフ・スイッチ１６１、１６２、１６３とサービス・エッジ・ノード１７１、１７２、１７３、１７４との間に存在する。ビット・ストリーム・アクセス（ＢＳＡ−ＳＥ−Ｕ）のために使用されるサービス・エッジ・ノード１７３は、ＩＰルーティング機能を必要としないレイヤ２ビットストリーム・アクセスのためのレイヤ２ハンドオフであると仮定されている。サービス・エッジ・ノード１７３は、サード・パーティ・サービス・プロバイダ１０６により、固定ポート割当てでレイヤ２ビットストリームを介してアクセスを受けることができ、サービス・エッジ・ノード１７１、１７２、および１７４は、プレーンなインターネット・アクセスを介してサード・パーティ・サービス・プロバイダ１０５によってアクセス可能である。このアクセス領域のためのコントローラまたはコントローラ・ノード１８０−これは中央オフィス受渡し地点１１０を制御する−は、接続されている光ネットワーク・ターミナル・デバイス（ネットワーク終端ノード）および／またはホーム・ゲートウェイ５０を含めて、受動光ネットワーク内のすべてのデバイスを保持するアクセス領域リポジトリまたはリポジトリ・ノード１８２（いわゆるＡ４リポジトリ）を有する。
【００５６】
サービス・エッジ制御プレーン１８８（またはサービス・エッジ制御プレーン・ノード１８８）がコントローラ・ノード１８０内にあるものとして示されているが、本発明によれば、サービス・エッジ制御プレーン１８８（またはサービス・エッジ制御プレーン・ノード１８８）は、コントローラ・ノード１８０とは別々に位置することも可能である。
【００５７】
リポジトリ・ノード１８２の他に警報および異常のためのデータベースが示されている。これは、Ａ４リポジトリ（またはリポジトリ・ノード１８２）がセッション終了により（接続セッションの）セッション・コンテキストをすでに失っている場合でさえ、履歴を保持する。
【００５８】
コントローラ・ノード１８０には、典型的にはＯＮＴ認証アプリケーションもしくは機能１８４、ならびに／またはｖＯＬＴＨＡ機能１８５および／もしくはファブリック・エージェント（ＦＮ−Ｃ）機能１８５のようなアプリケーションまたは機能が位置し、関連のデバイスの構成および管理を制御する。
【００５９】
ポリシ・サーバＲＰ（Ｒａｄｉｕｓ  Ｐｒｏｘｙ）に向かう通信については、ＰＦＳクライアントまたはＰＦＳクライアント機能１８９が処理する。ＰＦＳ機能またはＰＦＳノード１８３は、ＡＡＡ（認証、許可、およびアカウンティング）およびポリシ制御サーバである、またはそれに対応するプラットフォーム制御に対応する。このプラットフォーム・デバイスは、通常、中央オフィス受渡し地点１１０の通信の一部であるＢＮＧによって、セッション開始要求を受信する。さらに、ＰＦＳノード１８３は、ポリシ、規則および判断に基づいてアクセスプロファイル設定を提供するポリシ・コントローラである。この情報は、サービス・エッジ・ノード１７１、１７２、１７３、１７４（ＳＥ−Ｕ）においてサービス関連パラメータを構成するために、中央オフィス受渡し地点１１０に送られる。
【００６０】
ＰＰＰｏＥ（ポイント・トゥ・ポイント・プロトコル・オーバー・イーサネット）に基づくユーザおよびサービスのためには、ユーザ名およびパスワード、ならびに任意選択でラインＩＤが認証のためにとられることになる。
【００６１】
ユーザ・セッション識別確認のないユーザおよびサービスのためには、光ネットワーク・ターミナル・シリアル番号（すなわちネットワーク終端ノードの識別情報）の事前構成が必要とされる。これは、図２の左側の矢印によって示されるＢ２Ｂインターフェースによって行われる。この場合、卸売りまたはビジネス・パートナは、Ａ４リポジトリ、すなわちリポジトリ・ノード１８２に記憶されているシリアル番号情報を提供する。光ネットワーク・ターミナル（またはネットワーク終端ノード）（ＧＫ／Ｌ２ＢＳＡ）が立ち上がる（すなわち活性化される）場合、そのシリアル番号が事前構成された値に照らして認証され、それに応じてポリシが設定される。
【００６２】
図３には、未知の（または少なくとも以前未知の）光ネットワーク・ターミナル（またはネットワーク終端ノード７５）の本発明のネットワーク・アタッチ・プロセスに関する通信図が概略的に示されている。未知の光ネットワーク・ターミナル（またはネットワーク終端ノード７５）の本発明のネットワーク・アタッチ・プロセスは、光回線終端装置（またはライン終端ノード１５１）により、識別確認としてシリアル番号をコントローラ・ノード１８０に向かってレポートし、コントローラ・ノード１８０は、Ａ４リポジトリ（リポジトリ・ノード１８２）をトリガし、学習したばかりのシリアル番号ならびに光回線終端装置識別子を物理ポート（ＰＯＮツリーまたはＰＯＮツリー情報に対応）として記憶することによって、コンテキストを生成する。ＰＯＮポートは、光ネットワーク・ターミナルＩＤ（すなわち、典型的にはネットワーク終端ノード７５のシリアル番号）対応する光回線終端装置（またはライン終端ノード１５１）のポートＩＤに基づいて割り当てられる。また、ＳＥ−Ｕ（すなわちサービス・エッジ・ノード１７１）がそれ自体の識別子によって識別される。複数のサービス・エッジ・ノード１７１、１７２、１７３（ＳＥ−Ｕ）が存在する場合、オペレータは、事前定義されたＳＥ−Ｕを決定する。次に、コントローラ・ノード１８０は、ＰＯＮポートとサービス・エッジ・ノード１７１（ＳＥ−Ｕ）との間でコネクティビティ・セットアップ（セットＰＷ、Ｓタグ、リーフ／スパイン）を提供する。
【００６３】
典型的には、以下の処理ステップが行われる。
第１の処理ステップ２０１：ネットワーク終端ノード７５から光回線終端装置（またはライン終端ノード１５１）へ初期化する。
第２の処理ステップ２０２：光回線終端装置（またはライン終端ノード１５１）から光ネットワーク・ターミナル（またはネットワーク終端ノード７５）へ応答する（ＰＬＯＡＭ／ＯＮＵ  ＩＤ）。
第３の処理ステップ２０３、２０４：光ネットワーク・ターミナル（またはネットワーク終端ノード７５）は、そのシリアル番号およびＰＯＮツリーＩＤ（Ｒｅｇｉｓｔｒａｔｉｏｎ  ＩＤ）を、それが現れた場合、光回線終端装置（またはライン終端ノード１５１）に送り、光回線終端装置（またはライン終端ノード１５１）は、これを、光回線終端装置ＩＤ（またはライン終端ノード識別子情報）を含めて、コントローラ・ノード１８０に転送する。
第４の処理ステップ２０５：コントローラ機能またはコントローラ・ノード１８０は、｛ｓｅｒｉａｌ＿ｎｕｍｂｅｒ、光回線終端装置ＩＤ、ＰＯＮツリーのＩＤ（ＰＯＮ＿ＴＲＥＥ＿ＩＤまたはＲｅｇｉｓｔｒａｔｉｏｎ  ＩＤ）｝を含めて、要求をリポジトリ・ノード１８２に送る。
第５の処理ステップ：Ａ４リポジトリ（またはリポジトリ・ノード１８２）は、エントリを作成し、光ネットワーク・ターミナル（またはネットワーク終端ノード７５）の場合、光回線終端装置（またはライン終端ノード１５１）からアタッチ解除し、そのエントリは、サブプロシージャ−によって定義されているようにリポジトリ・ノード１８２内で削除されることになり、このことは、光回線終端装置が「死んだ」（または故障もしくは再起動した）場合（にはすべてのエントリについて）も同様である。
第６の処理ステップ２０６：リポジトリ・ノード１８２は、（特に直ちに）ＬｉｎｅＩＤ（または回線識別確認情報）を、以下ＬｉｎｅＩＤサーバ１８８と称される中央バックエンド・システム（回線識別確認情報サーバ１８８）に要求し、処理ステップ２０７では、ＬｉｎｅＩＤが回線識別確認情報サーバ１８８によってリポジトリ・ノード１８２に提供される。
第７の処理ステップ：リポジトリ・ノード１８２は、光回線終端装置（またはライン終端ノード１５１）のために自律的にＰＷ  ＩＤ（疑似ワイヤ識別子）およびＳ−Ｔａｇ（さらなる識別子）を選び、リポジトリ・ノード１８２は、典型的には使用されているＰＷ  ＩＤ（疑似ワイヤＩＤおよびＳ−Ｔａｇ）のエントリを保つ。
第８の処理ステップ２０８：リポジトリ・ノード１８２は、割り当てられたＰＷ  ＩＤおよびＳ−Ｔａｇ情報をコントローラ・ノード１８０に送る。
第９の処理ステップ２０９：コントローラ・ノード１８０は、光回線終端装置（またはライン終端ノード１５１）に、ネットワーク終端ノード７５の識別子情報（特にシリアル番号）をＳ−ＴａｇおよびＰＷＩＤにマッピングし、したがって暗黙に内部相互接続するように指示する。
第１０の処理ステップ２１０：コントローラ・ノード１８０は、加入者（すなわち顧客宅内機器５０）が終端するべきであるサービス・エッジ１７１を選ぶ。これは、たとえば負荷平衡判断または企業顧客のための事前構成されたシリアル番号マッピングに基づくものとすることができる。
その結果、光ネットワーク・ターミナル（またはネットワーク終端ノード７５）とサービス・エッジ・ノード１７１との間の双方向レイヤ２コネクティビティが確立され、ネットワークがこのプロセスによって学習したシリアル番号によって一意に識別される。処理ステップの第１の部分Ａでは、光ネットワーク・ターミナルは、Ａ４リポジトリにて、シリアル番号の通知を受ける。光ネットワーク・ターミナルは、一意のラインＩＤを要求する。処理ステップの第２の部分Ｂでは、ラインＩＤ割当ての後、光ネットワーク・ターミナルがサービスに属する限り有効となるインフラストラクチャＩＤが割り当てられる。
【００６４】
異常：
ＯＮＴが故障した場合、ＯＬＴは、これを通知し、終了メッセージ（たとえば、ポート・ダウン通知）をコントローラに向かって送ることになる。その場合、コントローラは、ＯＮＴとＳＥ−Ｕとの間の接続全体を解放することになる。ＯＮＴが再び動作状態になった場合、第１の処理ステップから第１０の処理ステップを再び繰り返すことになる。
ＯＬＴが故障または（たとえば、電力の喪失により）動作しなくなった場合、コントローラは、ＯＬＴに向かってのコネクティビティの喪失を検出し、その特定のＯＬＴに属するすべてのポート・セットアップを終了する。
【００６５】
ＯＮＴシリアル番号スプーフィング：
典型的にはＯＮＴ／ＯＬＴの喪失は、コントローラにおけるポート・ダウン通知をもたらす。ポート・ダウンにより、ファブリック内のすべてのユーザ・セットアップが終了する。ＯＮＴを変更しそれを別のＰＯＮツリーに移動した場合でさえ、新しい要求情報でのポート・ダウンおよびポート・アップ・イベントを引き起こす。その結果、正常な動作における重複するシリアル番号の使用は防止される。
【００６６】
偽造シリアル番号または誤って重複した番号の場合、シリアル番号は、１回だけ登録することができる。重複するシリアル番号が発生し得る場合、コントローラは、Ａ４リポジトリ内のすでに存在するエントリのため、拒否を受信する。しかしこのイベントもまた、持続的であるＯＡＭデータベース１８１内でログを引き起こすことになる。
【００６７】
図４は、ユーザ・セッション識別確認に関する通信図を概略的に示す。
【００６８】
ユーザ・セッション識別確認：
【００６９】
シナリオ１：セッション・コンテキスト（たとえば、ＰＰＰ、ＤＨＣＰなどを介した顧客ダイヤルイン）のあるアクセス展開。以下の処理ステップが当てはまる。
第１の処理ステップ２２７：顧客は、ＨＧＷを介してサービス・エッジＳＥ−Ｕ１７１に向かってＰＰＰセッションを送る。
第２の処理ステップ２２８、２２９：ＳＥ−Ｕ（サービス・エッジ・ユーザ・プレーン１７１）は、その要求をプラットフォーム・ポリシ・コントローラＰＦＳ１８３に向かうプロキシとして働くＰＦＳクライアント１８９に転送する。
第３の処理ステップ２３０：ＰＦＳ１８３は、ユーザクレデンシャル（ＵＮ、ＰＷ、ラインＩＤ）をチェックし、アクセス受諾または拒否と共に応答（処理ステップ２３１）を提供し、受諾された場合、製品特有のプロファイル情報をＰＦＳクライアント１８９に向かって含める（情報をホーム・ゲートウェイ５０／顧客宅内機器５０に送信するためのさらなる処理ステップ２３２、２３３、２３４）。
第４の処理ステップ２３５：ＰＦＳクライアント１８９は、この情報をとり、プロファイル情報によって受け取られた適切なサービス構成を設定する（すなわちサービスプロファイルＩＤがサービス・エッジ・ノード１７１で設定される）。
ラインＩＤがない場合、ＰＦＳ１８３は、ＵＮ／ＰＷだけをチェックしており、ラインＩＤが存在する場合、ＰＦＳ１８３は、両方をチェックすることになる。
【００７０】
シナリオ２：セッション・コンテキストのないアクセス展開。
ＰＰＰダイヤルインが予想されない場合、サービス作成、ＳＥ選択、プロファイル設定は、ＯＮＴ  ＨＷ  ＩＤ、たとえばシリアル番号だけによって行われる。これは、卸売りのためのＳＥ３−Ｕを対象とするビット・ストリーム・アクセスに当てはまる。ビジネス製品のための選択されたポートは、たとえばＳＥ２を対象とする。
以下の処理ステップを通過する必要がある。
１）ＯＮＴは、そのシリアル番号およびＰＯＮツリーＩＤを、それが現れた場合、ＯＬＴに送り、ＯＬＴは、ＯＬＴ  ＩＤを含めてコントローラに転送する。
２）ＣＦは、要求｛ｓｅｒｉａ１＿ｎｕｍｂｅｒ｜ＯＬＴＩＤ｜ＰＯＮ  ＴＲＥＥ  ＩＤ｝をリポジトリに送る。
３）Ａ４リポジトリは、エントリを作成する。注：ＯＮＴがＯＬＴからアタッチ解除する場合、そのエントリは、サブプロシージャ−によって定義されているようにリポジトリ内で削除されることになる。ＯＬＴが死んでいる／再起動する場合には（すべてのエントリについて）同じ。
４）コントローラは、シリアル番号がすでに知られているかどうか、またＳＥ  ＩＤが事前構成されているかどうかチェックする。これは、たとえば、卸売りのためのＳＥ３−Ｕ、またはビジネスのためのＳＥ２であり得る。
５）リポジトリは、ＯＬＴのために自律的にＰＷ  ＩＤおよびＳ−Ｔａｇを選ぶ。（リポジトリは、使用されているＰＷ  ＩＤおよびＳ−Ｔａｇのエントリを保つことに留意されたい。）
６）リポジトリは、割り当てられたＰＷ  ＩＤおよびＳ−Ｔａｇ情報をコントローラに送る。
７）コントローラは、ＯＬＴに、シリアル番号をＳ−Ｔａｇ｜ＰＷＩＤにマッピングする（したがって、暗黙に内部相互接続する）ように指示する。
【００７１】
ユーザ・セッション識別確認およびファブリック・リダイレクト
【００７２】
正常なセットアップを考えると、ＯＮＴの接続は、デフォルトＳＥ−Ｕである事前定義されたＳＥ−Ｕで終了される。いくつかの理由、たとえば、製品関連の特別なＳＥ−Ｕにより、接続を、たとえばＳＥ−Ｕ１１からＳＥ−Ｕ１２へリダイレクトすることが必要である。これは、主に、ＯＮＴセッションが確立されており、ユーザ認証に基づいてＳＥが変化している場合行われる。その場合、コントローラは、その特定のポートについてＯＬＴ−ＳＥ１１からＯＬＴ−ＳＥ１２の間でリダイレクトをトリガする。
【００７３】
図５は、リポジトリ・ノード１８２のエントリの一例を概略的に示し、エントリは、スイッチング・ファブリックの文脈における未知の（または少なくとも以前未知の）光ネットワーク・ターミナル（またはネットワーク終端ノード）に関する。
【００７４】
図５によれば、リポジトリ・ノード１８２のエントリは、特に構成要素３０１、３０２、３０３、３０４、３０５、３０６、３０７および３０８の少なくとも一部を備える。
構成要素３０１：光ネットワーク・ターミナルのシリアル番号。この構成要素は、典型的にはポート・ステータス・メッセージによって取り出される。
構成要素３０２：光回線終端装置ポート／ＯＮＵＩＤ。この構成要素は、典型的にはポート・ステータス・メッセージによって取り出される。
構成要素３０３：アクセス・コンテキスト（ランダム）。この構成要素は、典型的にはコントローラ・ノードによって設定される。
構成要素３０４：ラインＩＤ。この構成要素は、典型的にはラインＩＤサーバから設定される。
構成要素３０５：サービス・エッジ（ノード）ＩＤ。この構成要素は、典型的にはａ）デフォルトまたはｂ）サービス・グループＩＤに基づいて、コントローラ・ノードによって設定される。
構成要素３０６：ＡＮＰ／ＰＷ（疑似ワイヤ）。この構成要素は、典型的にはＯＬＴ／ポートおよびＳＥ  ＩＤによって設定される。
構成要素３０７：サービス・グループＩＤ。この構成要素は、典型的にはどのＳＥかに向かう分類のためのＩＤである。
構成要素３０８：サービスＩＤ名。この構成要素は、典型的にはＰＦＳによって設定される／コントローラはＡ４リポジトリを更新する。
【００７５】
本発明は、特に以下の点について対処し、主に中央オフィス受渡し地点１１０の無接続動作を対象とする（ポート・アップが検出される場合、サービス・エッジ・ノード１７１、１７２、１７３、１７４への接続が切り替えられるだけである）。
Ａ）ＯＮＴのＰｏｒｔ  Ｕｐ  Ｅｖｅｎｔが、スイッチング・ファブリック内の経路のセットアップをトリガする。
Ｂ）ＯＮＴのシリアル番号が、ＯＮＴ−ＯＬＴ  ＭＡＣ−ＳＥ間の接続のコンテキストを決定する。
Ｃ）Ａ４リポジトリは、ＰＯＤの「脳」であり、ＯＮＴおよびそれらのステータス（シリアル番号、ＯＮＵ  ＩＤ、ＯＬＴ  ＩＤなど。例について表１および表２参照）についてのすべての情報を保持する。
Ｄ）各ポート・アップ・イベントは、オペレータＰＯＤセットアップによって事前決定されるデフォルトＳＥへの接続を可能にするコントローラ要求をもたらす。（複数を可能にすることも可能であり得る。コントローラは、それらを、負荷依存の、またはオペレータによって事前構成された分配規則に従って割り当てる。）
Ｅ）Ｌ２−ＢＳＡアクセス・ポートのための情報がプロビジョニング・インターフェースによってセットアップされることになる。シリアル番号／プロバイダは、Ａ４リポジトリ内で事前割当てされることになり、ＰＯＤに基づいて、Ｌ２サービス・エッジへのセットアップを実施する（たとえば、ＳＥ３）。
Ｆ）情報ビジネス・ポート（ＰＰＰなし）がプロビジョニング・インターフェースによってセットアップされることになる。シリアル番号／プロバイダが構成されることになり、ＰＯＤに基づいて、レガシＢＮＧまたは他のＳＥのセットアップを実施する。
Ｇ）ＰＰＰのあるビジネス・ポートについては、ＳＥ選択は、ＬｉｎｅＩＤ／ＵＮ／ＰＷに基づく。
Ｈ）ＯＮＴが電力を失った場合、ポート・ダウン・メッセージがＡ４リポジトリ内のコンテキストまたはコネクティビティのコンテキストを解放する。
Ｉ）Ａ４エラー履歴データベースが先のステータスまたは期間を持続的に保持する。
Ｊ）（同じＯＮＴまたは変更されたＯＮＴで）再び電源投入された後、セットアップが再び開始される。
【００７６】
さらに、以下の点について本発明によって対処される。
Ａ）ＯＮＴのＰｏｒｔ  Ｕｐ  Ｅｖｅｎｔがスイッチング・ファブリック内での経路（ステートレス）のセットアップを制御する。
Ｂ）ＯＮＴのシリアル番号がＯＮＴ−ＯＬＴ  ＭＡＣ−ＳＥ間の接続のコンテキストを決定する。
Ｃ）Ａ４リポジトリ・ノード１８２は、中央オフィス受渡し地点１１０の関連情報を記憶し、ＯＮＴおよびそれらのステータスについてのすべての情報を保持する。
Ｄ）各ポート・アップ・イベントは、オペレータＰＯＤセットアップによって事前決定されるデフォルトＳＥへの接続を可能にするコントローラ要求をもたらすが、複数のサービス・エッジ・ノードを可能にすることも可能であり得る。コントローラは、それらを、典型的には負荷依存の、またはオペレータによって事前構成された分配規則に従って割り当てる。
【００７７】
図６は、未知の（または少なくとも以前未知の）ネットワーク終端ノード７５の本発明のネットワーク・アタッチ・プロセスを実施する固定ワイヤレス・アクセス（ＦＷＡ）またはワイヤレス・トゥ・ザ・ホーム（ＷＴＴＨ）インフラストラクチャの一例を示す。この例では、ネットワーク終端ポイント７５は、ユーザの敷地上のワイヤレスステーションである。光ファイバ・ネットワークのアクセス・ポイント１５１とユーザの敷地上のステーション７５との間のワイヤレス通信は、サービス受渡しのラスト・マイルのためのブリッジとして働く。データ・センタ・ベースのアクセス・ネットワーク構造では、ＳＤＮ関連の技術がますます適用されている。そのようなＳＤＮベースの手法を実装するための１つの方法は、コントローラ・アプリケーション１８０とアクセス・ポイント１５１との間に抽象化レイヤをセットアップすることである。図の例では、仮想ハードウェア抽象化構成要素４０２が、アクセス・ポイント１５１のハードウェア・デバイスと、アクセス・ポイント１５１の特定の詳細に関してそれ自体無知であるＰＯＮ管理システムとの間に介在する。その南向きの側では（すなわちアクセス・ポイント１５１に向かって）、仮想ハードウェア抽象化構成要素４０２は、たとえば、拡張認証プロトコル（ＥＡＰ）ならびにワイヤレス・アクセス・ポイントの制御およびプロビジョニング（ＣＡＰＷＡＰ）など、プロトコルを介してアクセス・ポイント１５１と通信する。その北向きの側では（コントローラ・アプリケーション１８０に向かって）、仮想ハードウェア抽象化構成要素４０２は、受動光ネットワークの管理システムとのインタラクションを可能にするインターフェースのセットを提供する。そのようなインターフェースの一例は、Ｏｐｅｎ  Ｆｌｏｗ  Ｒｅｐｒｅｓｅｎｔａｔｉｏｎａｌ  Ｓｔａｔｅ  Ｔｒａｎｓｆｅｒ  Ａｐｐｌｉｃａｔｉｏｎ  Ｐｒｏｇｒａｍｍｉｎｇ  Ｉｎｔｅｒｆａｃｅ（ＲＥＳＴ  ＡＰＩ）である。ＷＴＴＨ環境におけるアタッチ・プロセスについては、仮想ハードウェア抽象化構成要素４０２は、アタッチ要求をコントローラ・アプリケーション１８０に転送するイベント・ハンドリング機能を含めることによって拡張され得る。コントローラ・アプリケーション１８０は、その機能が８０２．１Ｘに準拠して拡張されるＥＡＰオーセンティケータとして働く。ポート・アップ／ダウン、正味のデータ転送速度、符号誤り率など、動的なチャネル挙動のためのパラメータを有する必要なポート通知が、許容されるレポート間隔で、許容される量のレポート・メッセージを用いて、プッシュ／プル・プロシージャを通じて、ポート通知クライアントを介してコントローラ１８０に送信される。ＳＤＮベースの手法におけるＷｉＦｉアクセス・ノードのためのこの機構は、ＷＴＴＨ環境において未知のネットワーク終端ノード７５をアタッチする問題を、アクセス・コントローラの使用を通じて解決し、８０２．１１（ＷｉＦｉ）技術によるＷＴＴＨのためのＳＤＮ手法を実行可能にする。この手法では、アクセス・ポイントおよびステーションのための認証機構は、均一に実施される。
【００７８】
未知のステーション７５のアタッチのために、エンド・ユーザは、ステーション７５を、回線クレデンシャルを用いて構成する。ステーション７５は、回線クレデンシャルを、たとえばローカル・エリア・ネットワーク上の拡張認証プロトコル（ＥＡＰＯＬ）認証要求の一部としてワイヤレスでアクセス・ポイント１５１に送信する。アクセス・ポイント（たとえば、ライトウェイト・アクセス・ポイント）は、仮想ハードウェア抽象化構成要素４０２を介して回線クレデンシャルをコントローラ・アプリケーション１８０に転送する。コントローラ・アプリケーション１８０は、たとえばＳＤＮコントローラプラットフォーム上で実装することができる。コントローラ・アプリケーション１８０は、ローカル・データベースに照会することによって回線クレデンシャルに関連付けられたラインＩＤを決定し、その後、ＥＡＰ認証を完了する。さらに、コントローラ・アプリケーション１８０は更に、ユーザが特定のサービス・エッジ・ノード１７１（またはネットワーク・プロバイダの卸売りパートナ）に接続することができるようにファブリック１１５を構成する。認証が完了した後、ユーザのルータは、たとえばポイント・トゥ・ポイント・プロトコル・オーバー・イーサネット（ＰＰＰｏＥ）を使用することによってサービス・エッジ・ノード１７１に接続する。また、コントローラ・アプリケーション１８０は、Ｏｐｅｒａｔｉｏｎｓ  Ｓｕｐｐｏｒｔ  Ｓｙｓｔｅｍｓ（ＯＳＳ）プロビジョニングの後、認証、許可、およびアカウンティング（ＡＡＡ）を実施する。この機能では、コントローラ・アプリケーション１８０は、特定のサービス・エッジ・ノード１７１とＡＡＡシステム４０４との間に介在し、両者に対してリモート認証ダイヤルイン・ユーザ・サービス（ＲＡＤＩＵＳ）を介して通信する。サービス・エッジ１７１がＡＡＡ要求をＡＡＡシステム４０４に送るとき、コントローラ・アプリケーション１８０は、ユーザの敷地上のステーション７５に関連付けられたラインＩＤを挿入する。
【図１】
0006921247.tif 000002
【図２】
0006921247.tif 000003
【図３】
0006921247.tif 000004
【図４】
0006921247.tif 000005
【図５】
0006921247.tif 000006
【図６】
0006921247.tif 000007